(57)【要約】【課題】工場等の施設内において被管理者が緊急コールを発信した場合には、直ちにその被管理者の位置を特定することができる所在情報管理システム提供する。【解決手段】管理エリアで無線タグを携行する被管理者は、緊急状態に陥った時、無線タグのボタンスイッチを押下することにより緊急コールを発信することができる。そして、その緊急コール情報を受けたメイン端末の制御により、緊急情報発信者の位置情報が、端末の画面６０にポップアップ表示ボックスとして表示される。【選択図】図１１
2011022654.tif 000002
【特許請求の範囲】
【請求項１】
送信機からの無線信号をアンテナを介して受信する受信手段と、
同一の無線信号を複数のアンテナが捕捉した場合、最もハイレベルの信号を受信したアンテナを特定して、そのアンテナの位置を前記送信機の所在位置とする特定手段と、
前記所在位置を画面の地図上に表示する表示手段と、
前記受信手段が前記送信機から緊急コールを受けた場合に、緊急コールを発信した送信機の位置情報を前記画面上においてポップアップ表示させる報知手段と
を備えたことを特徴とする所在情報管理システム。
【請求項２】
前記報知手段は、緊急コールを発信した送信機の位置をポップアップ画面上で地図とともに表示させることを特徴とする請求項１に記載の所在情報管理システム。
【請求項３】
ポップアップ画面には、前記緊急情報の発信位置を示す詳細確認の要否を問う確認ボタンが表示され、その確認ボタンをクリックした時に詳細確認の内容が表示されることを特徴とする請求項２に記載の所在情報管理システム。
【発明の詳細な説明】
【技術分野】
【０００１】
本発明は、工場，研究所，事務所ビル，病院等、様々な用途建物の施設内において、送信機を携行する被管理者を個別に認識すると共に、緊急コールを発信した被管理者の所在を表示部に表示するようにした所在情報管理システムに関する。
【背景技術】
【０００２】
近年、無線タグを携行する児童の所在を監視すると共に、無線タグから発信された緊急コールを受けて、警察署に緊急事態の発生を報知して児童の捜索を促したり、家族に児童の緊急事態の発生を報知したりする地域防犯システムが提案されている。特許文献１に開示されている「地域防犯システム、無線タグ付名札及び監視装置」は、児童や園児を監視する地域防犯システムにおいて、その設備の設置や維持にかかるコストを低減すると共に、相応の自由度を持ちつつ監視するものである。また、無線タグには圧力検出器が備わっており、児童が圧力検出器の周囲を触ったり押したりすることにより、無線タグから防犯システムの受付装置に緊急コールを送信することができる。
【先行技術文献】
【特許文献】
【０００３】
【特許文献１】特開２００７−４２００９号公報（［要約］、明細書［００２６］〜［００２８］を参照）
【発明の概要】
【発明が解決しようとする課題】
【０００４】
特許文献１の地域防犯システムでは、児童が緊急コールを発信すれば、直ちに受付装置により警察署に緊急事態発生を報知することができる。しかしながら、緊急コールを発した児童の位置の判別は、受信部が設けられた防犯灯ごとのゾーンを単位としている。このため、緊急コール発信位置を突き止めるまでに時間を要する場合が多々ある。例えば、緊急コール発信位置が複数のゾーンの境界部であって、複数の受信部が緊急コールを受信した場合は、捜索エリアが複数のゾーンに跨るような広範囲となる。また、この特許文献１においては、緊急コール発生を示す表示は、掲示板の表示部に表示されるとしているが、その表示形態については開示されていない。
【０００５】
本発明は、このような問題に着目してなされたものであり、その目的とするところは、施設内で被管理者が緊急コールを発信した場合には、直ちにその被管理者の位置を特定することができるとともに、所在情報管理システム提供することにある。
【課題を解決するための手段】
【０００６】
上記問題を解決するために、本発明においては、送信機からの無線信号をアンテナを介して受信する受信手段と、同一の無線信号を複数のアンテナが捕捉した場合、最もハイレベルの信号を受信したアンテナを特定して、そのアンテナの位置を前記送信機の所在位置とする特定手段と、前記所在位置を画面の地図上に表示する表示手段と、前記受信手段が前記送信機から緊急コールを受けた場合に、緊急コールを発信した送信機の位置情報を前記画面上においてポップアップ表示させる報知手段とを備えたことを特徴とするものである。
【０００７】
上記構成によれば、受信手段が緊急コールを受けると、特定手段が発信位置を特定し、報知手段が発信位置を表示手段上でポップアップ画面として表示する。このとき、緊急コールの発信位置の特定は、ひとつのアンテナに対応する狭い範囲内である。このため、管理者は、ポップアップ画面により緊急コール発信位置を容易に特定できるので、直ちに現場へ急行することができる。
【０００８】
前記の構成において、前記報知手段は、緊急コールを発信した送信機の位置をポップアップ画面上で地図とともに表示させることが好ましい。
さらに、前記の構成において、前記ポップアップ画面には、前記緊急情報の発信位置を示す詳細確認の要否を問う確認ボタンが表示され、その確認ボタンをクリックした時に詳細確認の内容が表示されるようにすることが望ましい。
【０００９】
上記構成によれば、緊急情報発信位置の詳細確認の必要がある時、確認ボタンをクリックすることにより、詳細確認が容易に可能となる。
【発明の効果】
【００１０】
本発明によれば、施設内における被管理者が緊急コールを発信した時、その発信位置がポップアップ画面として表示されるため、その発信位置を迅速に認識できて、円滑な対処が可能となる。
【図面の簡単な説明】
【００１１】
【図１】無線タグの示す正面図。
【図２】無線タグの電気的構成を示すブロック図。
【図３】ネットワークの構成を示すブロック図。
【図４】サーバ，メイン端末及びサブ端末の各構成を示すブロック図。
【図５】アンテナファイルを示す説明図。
【図６】タグファイルを示す説明図。
【図７】行動履歴を示す説明図。
【図８】緊急コール履歴を示す説明図。
【図９】実施形態の動作を示すフローチャート。
【図１０】実施形態の表示部に表示された管理エリアを示す配置図。
【図１１】表示部に表示されたポップアップ画面を示す配置図。
【図１２】詳細内容を表示したポップアップ画面を示す配置図。
【発明を実施するための形態】
【００１２】
（実施形態）
以下、本発明を具体化した実施形態を図１〜図１２を用いて説明する。
先ず、図１及び図２に従って工場等の施設内の被管理者が所有する送信機としての無線タグ１１について説明する。
【００１３】
図１に示すように、無線タグ１１のケース１２の前面には、タグ所有者である被管理者の顔写真１３、名前１４及び個人識別コード１５が付されるとともに、ランプ１７及びボタンスイッチ１６が設けられている。
【００１４】
無線タグ１１は、制御部２１、記憶部２２、送信部２３及び受信部２４よりなる電気的構成を備えている。制御部２１は無線タグ１１の動作を制御する。記憶部２２には、制御部２１の制御のもとに実行されるプログラムのデータが記憶されている。また、記憶部２２には、タグ識別コード１１２等の一時データが記憶される。このタグ識別コード１１２は、無線タグ１１を識別するために、無線タグ１１ごとに異なるコードが付与されている。前記送信部２３は、タグ識別コード１１２のデータ、ボタンスイッチ１６のオン信号等を外部に対して送信する。受信部２４は外部からの信号を受信する。
【００１５】
そして、この無線タグ１１は、受信部２４が外部（後述するメイン端末３３）からの起動信号を受けることによって起動し、受信部２４が外部からの停止信号を受けることによって動作を停止する。無線タグ１１の動作時には、一定時間間隔（例えば、１秒間隔）で、記憶部２２に記憶されたタグ識別コード１１２のデータを発信する。また、ボタンスイッチ１６がオンされた場合には、ランプ１７が点滅すると共に、ブザー２５が鳴動し、さらに、タグ識別コード１１２の発信とともに、緊急事態を示す緊急信号が発信される。このランプ１７、ブザー２５の動作及び緊急信号の発信は、外部からの停止信号の受信によって停止される。あるいは、タイマーにより一定時間後に停止させることもできる。
【００１６】
次に、図３及び図４に基づいて、本実施形態の管理システムの構成を説明する。
施設内に巡らされたＬＡＮ（Ｌｏｃａｌ  Ａｒｅａ  Ｎｅｔｗｏｒｋ：以下、ネットワークという）３１には、１台のサーバ３２、受信手段及び報知手段としての１台のメイン端末３３及び複数台のサブ端末３４が接続されている。図４に示すように、これらのサーバ３２、メイン端末３３及びサブ端末３４は、制御部３５、３６、記憶部３７、３８、液晶ディスプレイよりなる表示手段としての表示部３９、４０、キーボードよりなる操作部４１、４２及び通信部４３、４４のそれぞれが備えられたコンピュータよりなる。サーバ３２とメイン端末３３及びサブ端末３４とは、通信部４３、４４間で情報の授受を行う。サーバ３２は、管理システムを管理するための各種のデータが記憶されたデータベース４５を備えている。メイン端末３３及びサブ端末３４においてサーバ３２のデータベース４５の内容を閲覧できる。また、メイン端末３３はデータベース４５の内容を書き換える機能を有するが、サブ端末３４はその機能を有しない。そして、メイン端末３３には、管理システムを稼働するためのアプリケーションが備えられている。従って、管理システムは、メイン端末３３のアプリケーション機能により、データベース４５内のデータを利用して稼働する。
【００１７】
前記サーバ３２及びメイン端末３３は施設内の管理室に設置され、サブ端末３４は同施設内の適当箇所に分散設置されている。そして、サーバ３２及びメイン端末３３は、１基のアンテナ５２の位置を無線タグ１１の所在位置として特定するための特定手段が構成されている。
【００１８】
ネットワーク３１には受信手段としての複数の受信機５０が接続され、各受信機５０は１基または２基のアンテナ５２を備えている。このアンテナ５２は、施設内の出入り口や各部屋の出入り口、通路等の天井部に設置されている。各アンテナ５２のアンテナ回路（図示しない）には、検出器５１が設けられ、その検出器５１は、検出回路（図示しない）と、検出のためのプログラムが記憶された記憶部とを備えている。そして、検出器５１は、アンテナ回路の端子間電圧あるいはアンテナ回路の電界強度を検出して、アンテナ５２が受信した電波の強度に応じたレベルの信号を前記メイン端末３３に対して出力する。従って、この検出器５１により、アンテナ５２が受信した無線信号の強度が検出される。
【００１９】
各アンテナ５２には図５に示す識別用のアンテナコード１０２が割り当てられている。
ネットワーク３１及び所要の受信機５０にはコントローラ５３が接続され、そのコントローラ５３には、スピーカ５４の音声制御装置５７、スライドドア駆動装置５６、ドア駆動装置５６等の機器が接続されている。
【００２０】
そして、アンテナ５２を介して受信機５０が無線タグ１１からのタグ識別コード１１２の信号を受信すると、メイン端末３３がそのタグ識別コード１１２に基づいてコントローラ５３の動作を制御し、そのコントローラ５３によって各種の機器の動作が制御される。例えば、出入り口に設置されたアンテナ５２を介して受信機５０がタグ識別コード１１２を受信した場合は、コントローラ５３によりスライドドア駆動装置５６やドア駆動装置５６が制御されて、スライドドアやドアが開閉動作されるとともに、スピーカ５４からアナウンスが報知される。アナウンスのための音声データは前記データベース４５に記憶されている。
【００２１】
また、アンテナ５２を介して受信機５０が無線タグ１１からの緊急コール信号を受信した場合は、その緊急コール信号に対応した内容を示す緊急情報が受信機５０からメイン端末３３に転送される。そして、メイン端末３３の制御により、メイン端末３３及びサブ端末３４のディスプレイよりなる表示部３９，４０に緊急情報を表示するとともに、付属のスピーカ（図示しない）から緊急情報を示すアナウンスあるいは警報が報知される。これと同時に、メイン端末３３により緊急コール信号発信位置の周囲のコントローラ５３が選択されて、その選択されたコントローラ５３の動作により、緊急情報のアナウンスあるいは警報がスピーカ５４から報知される。
【００２２】
前記データベース４５には、図５に示すアンテナファイル１０１，図６に示すタグファイル１１１、図７に示す行動履歴ファイル１２１及び緊急コール履歴ファイル１３１が設定されている。前記アンテナファイル１０１には、各アンテナ５２のコード１０２と、そのアンテナ５２の設置位置１０３とが記憶されている。前記タグファイル１１１には、各無線タグ１１に割り当てられたタグ識別コード１１２と、タグ所有者の個人名１４とが記憶されている。行動履歴ファイル１２１は、タグ識別コード１１２と対応する名前１４から抽出された被管理者の名前１４ごとに設けられ、その行動履歴ファイル１２１には、所在地変更履歴が記憶される。この所在地変更履歴は、アンテナ設置位置１０３と、その設置位置のアンテナ５２によってタグ識別コード１１２が検出された日時の記録１２２とが記憶される。従って、この記録１２２は、被管理者の行動履歴を示す。なお、アンテナ設置位置１０３として特定される１つのアンテナ５２は、後述するように無線信号の強度の判別によって認識される。
【００２３】
次に、緊急情報がメイン端末３３及びサブ端末３４の表示部３９，４０に表示される態様を図９のフローチャートを中心に説明する。このフローチャートは、メイン端末３３の記憶部３８に記憶されたプログラムが同メイン端末３３の制御部３６の制御のもとに進行するものである。
【００２４】
図１０に示すように、通常状態においては、画面６０には、通常、１Ｆ〜４Ｆのフロア図６１〜６４が表示される。このフロア図６１〜６４の図形データはデータベース４５に記憶されたものである。ここで、フロア図６１〜６４に示される施錠表示６５は、進入制限がある部屋等の施錠状態を示し、アンテナ表示６６は受信機５０に備えられているアンテナ５２の設置位置を示している。
【００２５】
そして、図９のステップＳ（以下、単にＳとする）１において、無線タグ１１を携行する被管理者が、緊急状態に陥ったとして、自身の無線タグ１１のボタンスイッチ１６を押下した時、その緊急信号，すなわち同一の無線信号は、通常複数のアンテナ５２によって捕捉される。そして、Ｓ２において、メイン端末３３は検出器５１からの信号に基づいて最も強いレベルの緊急信号を受信したアンテナ５２を特定する。この特定により無線タグ１１に最も近いアンテナ５２が特定される。これに基づいてメイン端末３３は、Ｓ３において緊急コール事態表示情報を作成する。この緊急コール事態表示情報は、タグファイル１１１から受信した無線タグ１１の所有者がタグファイル１１１の検索によって特定されるとともに、アンテナ５２の所在位置がアンテナファイル１０１の検索によって特定される。そして、Ｓ３において管理者に知らせる情報が生成され、図１１に示すように、Ｓ４において緊急コール発信者とその所在地とを記したポップアップ画面としてのポップアップ表示ボックス６７がアニメーション処理を利用してポップアップ表示される。ポップアップ表示ボックス６７の表示と同時に、Ｓ５において管理室や発信者の所在地においてスピーカ５４から警報が報知される。
【００２６】
ここで、ポップアップ表示ボックスの下部には、緊急信号発信位置の詳細表示の要否を問う確認ボタン６８と、ポップアップ表示ボックス６７の表示を閉じるための閉じるボタン６９が表示されている。
【００２７】
そして、緊急コール信号発信位置の詳細表示を必要として確認ボタン６８がクリックされた場合には、Ｓ６を経てＳ７において、図１２に示すように、画面全体に緊急コール発信位置を含む詳細確認の地図７０が表示される。そして、この地図上において、緊急コール信号発信位置を特定するための図形表示７１が点滅表示される。例えば、図形表示７１として赤色円が点滅するようにすれば、ポップアップ表示ボックス６７において、緊急コール信号発信位置をより明確に知らせることができる。
【００２８】
そして、緊急事態に対処した後、図７に示す行動履歴ファイル１２１に行動履歴が保存されるとともに、Ｓ８において閉鎖ボタン６９がクリックされることにより、Ｓ９において緊急コール履歴ファイル１３１が保存されて、緊急コール対応が終了する。なお、前記行動履歴ファイル１２１には、通常の行動履歴が常時書き込まれる。
【００２９】
なお、緊急コールが発信されない通常状態においては、無線タグ１１から発信されるタグ識別コード１１２の受信強度が常に検出され、その無線タグ１１に対して最短位置にあるアンテナ５２が特定される。そして、そのアンテナ５２の位置が無線タグ１１を携行する被管理者の所在位置としてフロア図６１〜６４上に表示される。そして、各階に存在する被管理者の人数が人数表示欄７３に表示される。
【００３０】
従って、上記実施形態によれば、以下のような効果を得ることができる。
（１）上記実施形態では、施設内における被管理者が無線タグ１１のボタンスイッチ１６を押下することにより緊急コール信号が発信されるようにした。そして、緊急コール信号を受けた受信機５０が発信する緊急情報を受けたメイン端末３３が、緊急コール信号を発信した被管理者の位置情報を、メイン端末３３及びサブ端末３４の画面６０にポップアップ表示ボックスとして表示するようにした。このため、安全管理者等は、画面６０の通常画面に出現したポップアップ表示ボックス６７を容易に視認することができると同時に緊急コール信号発信位置を特定でき、直ちに現場へ急行することができる。また、メイン端末３３の制御により、緊急コール信号発信位置の最寄のスピーカ５４から緊急情報がアナウンスされて、緊急信号発信者の緊急状態に気付かなかった周囲の人も事情を直ちに知ることができる。
【００３１】
（２）上記実施形態では、緊急コール信号の強弱レベルから緊急コール発信に最も近いところに位置する１基のアンテナ５２を特定して、緊急コール発信者の位置を特定するようにしている。従って、特許文献１に記載の従来構成とは異なり、隣接する複数のゾーンを捜索するような必要はなく、緊急コール発信者を迅速に発見できる。
【００３２】
（３）上記実施形態では、無線タグ１１のボタンスイッチ１６の押下により、無線タグ１１のブザー２５が鳴り、ランプ１７が点滅して緊急信号を報知するようにした。このため、緊急信号発信者が物陰に隠れた状態であっても、無線タグ１１から発信されるブザー２５の音及びランプ１７の点滅光により発信者を容易に発見することができる。
【００３３】
（４）上記実施形態では、ポップアップ表示ボックスの確認ボタン６８を押下することにより、詳細確認の地図７０を、緊急コール信号発信位置を示す図形表示７１と共に表示するようにした。このため、緊急コール信号発信者の位置及びその周辺を詳細にしかも容易に確認することができて、緊急コール信号発信者を迅速に発見できる。
【００３４】
（５）上記実施形態では、メイン端末３３及びサブ端末３４の表示部３９，４０には、常時、施設の各階内に存在する被管理者の位置が表示されるとともに、人数表示欄７３において各階の被管理者の人数を表示されるようにした。このため、例えば、被管理者全員に関係する緊急事態が発生した場合等、全員が管理エリア外へ退避したか否かの確認を速やかに行うことができる。
【００３５】
（変更例）
なお、上記実施形態は、次のように変更して具体化することも可能である。
・  無線タグ１１がタグ識別コード１１２の代わりに、個人識別コード１５を送信するように構成し、その個人識別コード１５をもとに所在地確認等の処理が進行するように構成すること。
【００３６】
・  ポップアップ表示ボックス６７中に緊急コール発信者の顔写真が表示されるようにすること。
・  前記実施形態では、サブ端末３４において、常時、施設の被管理者の位置と人数とが表示されるようにしたが、サブ端末３４においては、無線タグ１１の緊急信号発信時のみに図１１及び図１２に示す画面６０を表示するように構成すること。
【００３７】
・  無線タグ１１が外部からの信号とは関わりなく常時稼働するように構成すること。
（他の技術的思想）
前記実施形態から把握されるが、請求項に記載されていない技術的思想は以下の通りである。
【００３８】
（Ａ）  表示部には、施設内の被管理者が常時表示されることを特徴とする請求項１〜３のうちのいずれか一項に記載の所在情報管理システム。
このように構成すれば、例えば、施設内の被管理者全員に関係する緊急事態が発生した場合、その管理を迅速かつ正確に行うことができる。
【００３９】
（Ｂ）  前記特定手段は、最も強いレベルの無線信号の受信したアンテナを特定することを特徴とする請求項１〜３のうちのいずれか一項に記載の所在情報管理システム。
このように構成すれば、緊急コール信号発信者に対して最も近いところに位置するアンテナを適切に特定できる。
【符号の説明】
【００４０】
１１…無線タグ、３３…メイン端末、５２…アンテナ、６０…画面、６７…ポップアップ表示ボックス、６８…確認ボタン、６９…ボタン、７０…地図。
【図１】
2011022654.tif 000003
【図２】
2011022654.tif 000004
【図３】
2011022654.tif 000005
【図４】
2011022654.tif 000006
【図５】
2011022654.tif 000007
【図６】
2011022654.tif 000008
【図７】
2011022654.tif 000009
【図８】
2011022654.tif 000010
【図９】
2011022654.tif 000011
【図１０】
2011022654.tif 000012
【図１１】
2011022654.tif 000013
【図１２】
2011022654.tif 000014